(57)【要約】【課題】上部枠材と側部枠材の連結作業や補修作業に広い場所をとらずに簡単にすることができ、かつ、戸当りパッキンの取付や交換作業を容易にするトラックボデーの後部ドアフレームを提供すること。【解決手段】保冷用箱形トラックボデーの後部開閉ドアの取付部を構成する上部枠材１０と側部枠材２０とをコーナージョイント６０を介して連結すると共に、側部枠材２０と下部枠材とを、下部枠材に突設された連結部材を介して連結する。上部枠材１０及び側部枠材２０におけるドア側開口面に、戸当りパッキン４０の嵌合溝５０を設け、戸当りパッキン４０の一側部の挿入片４１を嵌合溝５０内に嵌合し、他側部の固定片４４をトラックボデーの天井パネル３又は側壁パネル４に当接すると共に、リベット８０にて固定する。【選択図】　図６
2004084235.tif 000002
【特許請求の範囲】
【請求項１】
保冷用箱形トラックボデーの後部開閉ドアの取付部を構成する上部枠材と左右一対の側部枠材及び下部枠材と、上記上部枠材及び側部枠材に沿設される上記ドアの戸当りパッキンとを具備するトラックボデーの後部ドアフレームであって、
上記上部枠材と側部枠材とをコーナージョイントを介して連結すると共に、側部枠材と上記下部枠材とを、下部枠材に突設された連結部材を介して連結し、
上記上部枠材及び側部枠材におけるドア側開口面に、上記戸当りパッキンの嵌合溝を設け、
上記戸当りパッキンの一側部を上記嵌合溝内に嵌合し、他側部を上記トラックボデーの天井パネル又は側壁パネルに当接すると共に、固定部材にて固定してなる、ことを特徴とするトラックボデーの後部ドアフレーム。
【請求項２】
請求項１記載のトラックボデーの後部ドアフレームにおいて、
上記嵌合溝は、トラックボデーの内方側に向かって開口する開口部と、この開口部に連なってトラックボデーの外方側に向かって円弧状に屈曲する屈曲部とを具備し、
上記戸当りパッキンは、上記嵌合溝の屈曲部に沿って回転しつつ嵌挿される円弧状挿入片と、この挿入片から折曲される戸当り片と、トラックボデーの天井パネル又は側壁パネルに当接される固定片とを具備してなる、ことを特徴とするトラックボデーの後部ドアフレーム。
【請求項３】
請求項１又は２記載のトラックボデーの後部ドアフレームにおいて、
上記上部枠材、側部枠材及び下部枠材における少なくとも上部枠材及び側部枠材を、アルミニウム製中空押出形材にて形成し、
上記上部枠材及び側部枠材の中空部内に摺動嵌合可能な連結腕部を有する鋳物製コーナージョイントを介して上部枠材と側部枠材を連結すると共に、コーナージョイントの連結腕部と、上部枠材及び側部枠材とをそれぞれ固定部材にて固定してなる、ことを特徴とするトラックボデーの後部ドアフレーム。
【請求項４】
請求項３記載のトラックボデーの後部ドアフレームにおいて、
上記上部枠材を、短辺に嵌合溝を有し、天井パネル側長辺の中央部に開口した断面の中空押出形材にて形成し、
上記側部枠材を、短辺に嵌合溝を有し、側壁パネル側長辺の外方側が開口し、かつ、外方側短辺が側壁パネル側に延在する延在片を有する断面の中空押出形材にて形成し、
上記コーナージョイントを、空洞部を有するジョイント基部と、このジョイント基部の一側部及び下部に突設される連結腕部とで構成すると共に、連結腕部を、上記上部枠材及び側部枠材の上記開口内の中空部の内方面に沿って略同一肉厚の開口した断面形状に形成してなる、ことを特徴とするトラックボデーの後部ドアフレーム。
【請求項５】
請求項１ないし４のいずれかに記載のトラックボデーの後部ドアフレームにおいて、
上記側部枠材を、短辺に嵌合溝を有し、側壁パネル側長辺の外方側が開口し、かつ、外方側短辺が側壁パネル側に延在する延在片を有する断面のアルミニウム製の中空押出形材にて形成し、
上記連結部材を、下部枠材の両側端に突設される、直状片と、この直状片の先端から直交状に折曲される折曲片とからなる逆Ｌ字状の金具にて形成し、
上記側部枠材の嵌合溝を有する短辺を上記下部枠材の端部に係合すると共に、開口を有する長辺を上記連結部材の直状片の内方に係合し、かつ、外方側短辺を上記連結部材の折曲片の外方に係合し、
上記嵌合溝内に塞ぎ材を挿入して下部枠材と側部枠材の短辺部とを固定部材にて固定すると共に、上記連結部材の折曲片と側部枠材の外方側短辺部とを固定部材にて固定してなる、ことを特徴とするトラックボデーの後部ドアフレーム。
【発明の詳細な説明】
【０００１】
【発明の属する技術分野】
この発明は、トラックボデーの後部ドアフレームに関するもので、更に詳細には、例えば、冷凍車や保冷車等の箱形トラックボデーの後部開閉ドアの取付部を構成する後部ドアフレームに関するものである。
【０００２】
【従来の技術】
従来、この種のドアフレームは、鋼製又はステンレス製の板材をプレス加工等にて作製した上部枠材と側部枠材とを溶接で門型に組み立てた後、側部枠材と下部枠材とを連結して組み立てられていた。また、観音開き式のドアとの気水密性の維持を図るために、上部枠材及び側部枠材に沿設される合成樹脂製の戸当りパッキンは、上部枠材及び側部枠材とトラックボデーの天井パネル及び側壁パネルにリベットやねじ等の固定部材にて取り付けられていた。
【０００３】
【発明が解決しようとする課題】
しかしながら、従来のこの種のドアフレームは、上部枠材と側部枠材を溶接にて連結して門型に組み立てるため、溶接に熟練を要すると共に、組み立てに広い作業場所が必要であり、在庫場所や運搬にも問題があった。また、戸当りパッキンを、上部枠材及び側部枠材とトラックボデーの天井パネル及び側壁パネルにリベットやねじ等の固定部材にて取り付けるため、取付が面倒であるという問題もあった。
【０００４】
更には、例えば事故等によって損傷を受けた場合に修理するときにおいても、溶接や戸当りパッキンの交換に手間やコストがかかるという問題もあった。
【０００５】
この発明は、上記事情に鑑みなされたもので、上部枠材と側部枠材の連結作業や補修作業に広い場所をとらずに簡単にすることができ、かつ、戸当りパッキンの取付や交換作業が容易なトラックボデーの後部ドアフレームを提供することを目的とするものである。
【０００６】
【課題を解決するための手段】
上記目的を達成するために、この発明のトラックボデーの後部ドアフレームは、保冷用箱形トラックボデーの後部開閉ドアの取付部を構成する上部枠材と左右一対の側部枠材及び下部枠材と、上記上部枠材及び側部枠材に沿設される上記ドアの戸当りパッキンとを具備するトラックボデーの後部ドアフレームであって、上記上部枠材と側部枠材とをコーナージョイントを介して連結すると共に、側部枠材と上記下部枠材とを、下部枠材に突設された連結部材を介して連結し、
上記上部枠材及び側部枠材におけるドア側開口面に、上記戸当りパッキンの嵌合溝を設け、　上記戸当りパッキンの一側部を上記嵌合溝内に嵌合し、他側部を上記トラックボデーの天井パネル又は側壁パネルに当接すると共に、固定部材にて固定してなる、ことを特徴とする（請求項１）。
【０００７】
この発明において、上記嵌合溝は、トラックボデーの内方側に向かって開口する開口部と、この開口部に連なってトラックボデーの外方側に向かって円弧状に屈曲する屈曲部とを具備し、上記戸当りパッキンは、上記嵌合溝の屈曲部に沿って回転しつつ嵌挿される円弧状挿入片と、この挿入片から折曲される戸当り片と、トラックボデーの天井パネル又は側壁パネルに当接される固定片とを具備する構造とする方が好ましい（請求項２）。
【０００８】
また、上記少なくとも上部枠材及び側部枠材を、アルミニウム製中空押出形材にて形成し、上記上部枠材及び側部枠材の中空部内に摺動嵌合可能な連結腕部を有する鋳物製コーナージョイントを介して上部枠材と側部枠材を連結すると共に、コーナージョイントの連結腕部と、上部枠材及び側部枠材とをそれぞれ固定部材にて固定する方が好ましい（請求項３）。この場合、上記上部枠材を、短辺に嵌合溝を有し、天井パネル側長辺の中央部に開口した断面の中空押出形材にて形成し、上記側部枠材を、短辺に嵌合溝を有し、側壁パネル側長辺の外方側が開口し、かつ、外方側短辺が側壁パネル側に延在する延在片を有する断面の中空押出形材にて形成し、上記コーナージョイントを、空洞部を有するジョイント基部と、このジョイント基部の一側部及び下部に突設される連結腕部とで構成すると共に、連結腕部を、上記上部枠材及び側部枠材の上記開口内の中空部の内方面に沿って略同一肉厚の開口した断面形状に形成する方が好ましい（請求項４）。なお、ここで、アルミニウムとは、アルミニウム合金を含む意味である。
【０００９】
また、上記側部枠材を、短辺に嵌合溝を有し、側壁パネル側長辺の外方側が開口し、かつ、外方側短辺が側壁パネル側に延在する延在片を有する断面のアルミニウム製の中空押出形材にて形成し、上記連結部材を、下部枠材の両側端に突設される、直状片と、この直状片の先端から直交状に折曲される折曲片とからなる逆Ｌ字状の金具にて形成し、上記側部枠材の嵌合溝を有する短辺を上記下部枠材の端部に係合すると共に、開口を有する長辺を上記連結部材の直状片の内方に係合し、かつ、外方側短辺を上記連結部材の折曲片の外方に係合し、上記嵌合溝内に塞ぎ材を挿入して下部枠材と側部枠材の短辺とを固定部材にて固定すると共に、上記連結部材の折曲片と側部枠材の外方側短辺とを固定部材にて固定する方が好ましい（請求項５）。
【００１０】
上記のように構成されるこの発明によれば、上部枠材と側部枠材とをコーナージョイントを介して連結してドアフレームを組み立てることができ、上部枠材及び側部枠材のドア側開口面に設けられた嵌合溝に戸当りパッキンの一側部を嵌合し、他側部をトラックボデーの天井パネル又は側壁パネルに当接すると共に、固定部材にて固定して取り付けることができる（請求項１）。
【００１１】
この場合、嵌合溝に、トラックボデーの内方側に向かって開口する開口部と、トラックボデーの外方側に向かって円弧状に屈曲する屈曲部とを設ける一方、戸当りパッキンに、嵌合溝の屈曲部に沿って回転しつつ嵌挿される円弧状挿入片と、挿入片から折曲される戸当り片と、トラックボデーの天井パネル又は側壁パネルに当接される固定片とを設けることにより、戸当りパッキンの取付を簡単かつ強固にすることができると共に、交換を容易にすることができる（請求項２）。
【００１２】
また、少なくとも上部枠材及び側部枠材を、アルミニウム製中空押出形材にて形成し、上部枠材及び側部枠材の中空部内に摺動嵌合可能な連結腕部を有する鋳物製コーナージョイントを介して上部枠材と側部枠材を連結すると共に、コーナージョイントの連結腕部と、上部枠材及び側部枠材とをそれぞれ固定部材にて固定することにより、上部枠材と側部枠材の連結を簡単かつ強固にすることができる（請求項３）。また、上部枠材及び側部枠材はアルマイト処理が可能となるので、従来の鋼製やステンレス製枠材を溶接したものに比べて美観の向上を図ることができる。
【００１３】
また、上部枠材を、短辺に嵌合溝を有し、天井パネル側長辺の中央部に開口した断面の中空押出形材にて形成し、側部枠材を、短辺に嵌合溝を有し、側壁パネル側長辺の外方側が開口し、かつ、外方側短辺が側壁パネル側に延在する延在片を有する断面の中空押出形材にて形成し、コーナージョイントを、空洞部を有するジョイント基部と、このジョイント基部の一側部及び下部に突設される連結腕部とで構成すると共に、連結腕部を、上部枠材及び側部枠材の開口内の中空部の内方面に沿って略同一肉厚の開口した断面形状に形成することにより、ドアの開閉に対する強度を図ることができると共に、上部枠材、側部枠材及びコーナージョイントの材料の削減が図れる（請求項４）。
【００１４】
加えて、側部枠材を、短辺に嵌合溝を有し、側壁パネル側長辺の外方側が開口し、かつ、外方側短辺が側壁パネル側に延在する延在片を有する断面のアルミニウム製の中空押出形材にて形成し、連結部材を、下部枠材の両側端に突設される、直状片と、この直状片の先端から直交状に折曲される折曲片とからなる逆Ｌ字状の金具にて形成し、側部枠材の嵌合溝を有する短辺を下部枠材の端部に係合すると共に、開口を有する長辺を連結部材の直状片の内方に係合し、かつ、外方側短辺を連結部材の折曲片の外方に係合し、嵌合溝内に塞ぎ材を挿入して下部枠材と側部枠材の短辺とを固定部材にて固定すると共に、連結部材の折曲片と側部枠材の外方側短辺とを固定部材にて固定することにより、ドア側開口面に嵌合溝を有するにも拘わらず側部枠材と下部枠材との連結を強固にすることができる（請求項５）。この構造によれば、下部枠材を例えばステンレス製材料にて形成し、側部枠材をアルミニウム製中空押出形材にて形成しても、側部枠材と下部枠材とを強固に連結することができる。
【００１５】
【発明の実施形態】
以下に、この発明に係るトラックボデーの後部ドアフレームについて、添付図面に基づいて詳細に説明する。
【００１６】
図１は、この発明に係るトラックボデーの後部ドアフレームを適用したトラックの背面図、図２は、図１の縦断面図、図３は、図１の横断面図である。
【００１７】
上記トラックは、図１ないし図３に示すように、保冷用の箱形トラックボデー１の後部に観音開き式の開閉ドア２を具備し、開閉ドア２の取付部（フレーム）を構成する上部枠材１０と左右一対の側部枠材２０及び下部枠材３０と、上部枠材１０及び側部枠材２０に沿設されるドア２の戸当りパッキン４０とを具備している。この場合、トラックボデー１を構成する天井パネル３及び側壁パネル４は、それぞれ一対のアルミニウム製表面板５間に発泡ポリウレタン等の断熱性心材６を充填したサンドイッチパネルにて形成されている。また、開閉ドア２は、一対のアルミニウム製表面板２ａ間に発泡ポリウレタン等の断熱性心材２ｂを充填した内装パネル２ｃの表面に外装パネル２ｄが装着されており、外周側には戸当りパッキン４０に密接する内部パッキン７ａと、ドアフレームすなわち上部枠材１０、側部枠材２０及び下部枠材３０のドア側開口部に密接するフィン付外部パッキン７ｂが装着され、召合せ部には、召合せ内部パッキン７ｃとフィン付召合せ外部パッキン７ｄが装着ている（図２及び図３参照）。
【００１８】
また、上部枠材１０と側部枠材２０は、コーナージョイント６０を介して連結されており、側部枠材２０と下部枠材３０は、下部枠材３０に突設された連結部材である連結金具７０を介して連結されている。
【００１９】
また、上部枠材１０及び側部枠材２０におけるドア側開口面には、戸当りパッキン４０の嵌合溝５０が設けられており、戸当りパッキン４０の一側部が嵌合溝５０内に嵌合され、他側部がトラックボデー１の天井パネル３又は側壁パネル４に固定されている。
【００２０】
この場合、上部枠材１０は、図２及び図５に示すように、短辺に嵌合溝５０を有し、天井パネル側長辺の中央部に中央開口部１１を有する断面のアルミニウム製の中空押出形材にて形成されている。
【００２１】
また、側部枠材２０は、図３及び図５に示すように、短辺に嵌合溝５０を有し、側壁パネル側長辺の外方側に端部開口部２１を有し、かつ、外方側短辺が側壁パネル４側に延在する延在片２２を有する断面のアルミニウム製の中空押出形材にて形成されている。
【００２２】
上記嵌合溝５０は、図４、図６〜図８に示すように、トラックボデー１の内方側に向かって開口する開口部５１と、この開口部５１に連なってトラックボデー１の外方側に向かって円弧状に屈曲する屈曲部５２とを具備しており、開口部５１がドア側開口面より低い位置に開口している。なお、上部枠材１０及び側部枠材２０の中空部における嵌合溝５０の屈曲部５２の部分には、後述するコーナージョイント６０の連結腕部６３ａ，６３ｂが摺接する平坦部５３が形成されている（図４（ｂ），（ｃ）参照）。
【００２３】
上記戸当りパッキン４０は、例えば塩化ビニル等の合成樹脂製部材にて形成されており、図４、図６〜図８に示すように、嵌合溝５０の屈曲部５２に沿って回転しつつ嵌挿される円弧状挿入片４１と、この挿入片４１から折曲される戸当り片４２と、この戸当り片４２の先端から戸当り片４２の裏面側に略Ｌ字状に折曲される補強片４３と、補強片４３の先端から折曲されてトラックボデー１の天井パネル３又は側壁パネル４に当接される固定片４４とを具備している。なお、この場合、天井パネル３の厚さが上部枠材１０の高さ（長辺）寸法より小さいため、補強片４３が戸当り片４２より長く形成されている（図７参照）。
【００２４】
上記のように構成される戸当りパッキン４０を上部枠材１０と天井パネル３に取り付けるには、図７に示すように、戸当りパッキン４０の円弧状挿入片４１を嵌合溝５０の開口部５１に挿入し、屈曲部５２に沿って回転しつつ嵌挿させて、固定片４４を天井パネル３の内方下面に当接した状態で、適宜間隔をおいて固定片４４と天井パネル３を固定部材例えばブラインドリベット８０（以下にリベットという）にて固定して取り付ける。
【００２５】
また、戸当りパッキン４０を側部枠材２０と側壁パネル４に取り付けるには、上記と同様にして取り付けることができる。すなわち、図８に示すように、戸当りパッキン４０の円弧状挿入片４１を側部枠材２０に設けられた嵌合溝５０の開口部５１に挿入し、屈曲部５２に沿って回転しつつ嵌挿させて、固定片４４を側壁パネル４の内方側面に当接した状態で、適宜間隔をおいて固定片４４と側壁パネル４をベット８０（固定部材）にて固定して取り付ける。
【００２６】
上部枠材１０と側部枠材２０に沿設される戸当りパッキン４０の隣接部は、図６に示すように、それぞれ端部が４５度にカットされた戸当りパッキン４０同士を当接することによって連接されている。
【００２７】
なお、戸当りパッキン４０を交換する場合は、固定片４４と天井パネル３又は側壁パネル４を固定しているリベット８を切断した後、挿入片４１を嵌合溝５０の屈曲部５２内から回転させつつ引き出して取外し、そして、上述と同様にして新規の戸当りパッキン４０を取り付ける。
【００２８】
一方、上記コーナージョイント６０は、例えばアルミニウム製鋳物にて形成されており、図４〜図６に示すように、トラックボデー側が開口した空洞部６１を有するジョイント基部６２と、このジョイント基部６２の一側部及び下部に突設される連結腕部６３ａ，６３ｂとを具備している。この場合、ジョイント基部６２の一側部に突設される連結腕部６３ａは、上部枠材１０の中央開口部１１内の中空部の内方面に沿って略同一肉厚の開口した断面形状（略断面Ｃ字状）に形成されている（図４（ｂ）参照）。また、ジョイント基部６２の下部に突設される連結腕部６３ｂは、側部枠材２０の端部開口部２１内の中空部の内方面に沿って略同一肉厚の開口した断面形状（略断面Ｃ字状）に形成されている（図４（ｃ）参照）。
【００２９】
なお、コーナージョイント６０のジョイント基部６２には、側壁パネル４の上端部に位置する例えばアルミニウム製の押出形材にて形成される断面略Ｌ字状のトップレール９０を嵌装する取付段部６４と、トップレール９０の外形輪郭と同じ輪郭を有する鍔部６５とが設けられている。この場合、取付段部６４には、トップレール９０に設けられた肉厚部９１を摺動可能に案内する案内溝６６が設けられている。
【００３０】
上記のようにコーナージョイント６０を、空洞部６１を有するジョイント基部６２と、上部枠材１０の中央開口部１１又は側部枠材２０の端部開口部２１内の中空部の内方面に沿って略同一肉厚の開口した断面形状（略断面Ｃ字状）に形成される連結腕部６３ａ，６３ｂとで構成することにより、コーナージョイント６０の重量及び材料を削減することができる。
【００３１】
上記のように構成されるコーナージョイント６０を用いて上部枠材１０と側部枠材２０とを連結するには、上部枠材１０の中空部内に連結腕部６３ａを摺動嵌合すると共に、側部枠材２０の中空部内に連結腕部６３ｂを摺動嵌合した状態で、連結腕部６３ａと上部枠材１０の中央開口部１１を有する長辺部１２とをリベット８１（固定部材）にて固定し、連結腕部６３ｂと側部枠材２０の端部開口部２１を有する長辺部２３及び延在片２２を有する短辺部２４とをリベット８２（固定部材）にて固定する（図４参照）。これにより、上部枠材と側部枠材とを溶接によって連結して門型を形成する従来のフレーム作業に比べて、狭い作業場所で上部枠材１０と側部枠材２０とを連結することができ、また、在庫面でも有利な上、運搬作業も容易にすることができる。
【００３２】
なお、コーナージョイント６０の取付段部６４に嵌装されるトップレール９０は、肉厚部９１とコーナージョイント６０とがリベット８３にて固定されて、コーナージョイント６０の鍔部６５の外側表面と同一面上に揃えられる。また、トップレール９０の端部と天井パネル３及び側壁パネル４との隙間にはシーリング材１００が充填される。
【００３３】
一方、上記下部枠材３０は、例えばステンレスあるいは鋼製の板材をプレス加工等にて折曲されており、図９及び図１０に示すように、垂直片３１と、垂直片３１の下端から内方側に直交状に折曲される下部水平片３２と、垂直片３１の上端から内方側に直交状に折曲され、下部水平片３２より若干幅広の上部水平片３３と、上部水平片３３の先端から下方に直交状に折曲される垂下片３４と、垂下片３４の下端から内方側に直交状に折曲される、床パネル８を載置する水平載置片３５とで構成されている。
【００３４】
このように構成される下部枠材３０の両側端部の開口部には、ステンレスあるいは鋼製の取付板３６が溶接によって固定されており、取付板３６の表面には、下部枠材３０と側部枠材２０とを連結するステンレスあるいは鋼製の連結金具７０（連結部材）が溶接によって突設されている。この場合、連結金具７０は、下部枠材３０の両側端に突設される直状片７１と、直状片７１の先端から直交状に折曲される折曲片７２とからなる断面逆Ｌ字状に形成されている。
【００３５】
側部枠材２０と下部枠材３０とを連結するには、図９に示すように、側部枠材２０の嵌合溝５０を有する短辺を下部枠材３０の端部すなわち取付板３６に係合（当接）すると共に、端部開口部２１を有する長辺を連結金具７０の直状片７１の内方に係合（当接）し、かつ、外方側短辺を連結金具７０の折曲片７２の外方に係合（当接）して、固定部材例えばリベット８４，８５にて固定する。この際、取付板３６に係合（当接）する嵌合溝５０内に予めステンレスあるいは鋼製の塞ぎ材７３を挿入しておき、下部枠材３０と側部枠材２０の短辺部２４とをリベット８４にて固定する。また、連結金具７０の折曲片７２と側部枠材２０の外方側短辺部２４とをリベット８５にて固定する。
【００３６】
このように、嵌合溝５０内に塞ぎ材７３を挿入して下部枠材３０と側部枠材２０の短辺部２４とをリベット８４にて固定すると共に、連結金具７０の折曲片７２と側部枠材２０の外方側短辺部２４とをリベット８５にて固定することにより、ドア側開口面に嵌合溝５０を有するにも拘わらず側部枠材２０と下部枠材３０との連結を強固にすることができる。また、異種材料であるステンレスあるいは鋼製の下部枠材３０と、アルミニウム製の側部枠材２０とを強固に連結することができる。
【００３７】
なお、上記説明では、下部枠材３０をステンレスあるいは鋼製材料にて形成したが、下部枠材３０をアルミニウム製押出形材にて形成することも可能である。
【００３８】
なお、上記実施形態では、コーナージョイント６０の連結腕部６３ａ，６３ｂが、上部枠材１０及び側部枠材２０の中空部における嵌合溝５０の屈曲部５２の平坦部５３に摺接する断面略Ｃ字状に形成される場合について説明したが、図１１（ａ），（ｂ）に示すように、コーナージョイント６０の連結腕部６３ａ，６３ｂの断面形状を、上部枠材１０及び側部枠材２０の中空部の輪郭に合わせた形状とすることも可能である。このように、コーナージョイント６０の連結腕部６３ａ，６３ｂの断面形状を、上部枠材１０及び側部枠材２０の中空部の輪郭に合わせた形状とすることにより、更に上部枠材１０と側部枠材２０の連結を強固にすることができる。
【００３９】
また、上記実施形態では、図７に示すように、天井パネル３の厚さが上部枠材１０の高さ（長辺）寸法より小さいため、戸当りパッキン４０の補強片４３が戸当り片４２より長く形成される場合について説明したが、図１２に示すように、天井パネル３の厚さが上部枠材１０の高さ（長辺）寸法と同じ場合には、補強片４３と戸当り片４２を同じ長さにすればよい。また、図１３に示すように、天井パネル３の厚さが上部枠材１０の高さ（長辺）寸法より大きい場合には、戸当り片４２に加わる荷重（衝撃）を天井パネル３が受けるので、補強片４３を設けずに戸当り片４２から固定片４４を折曲すればよい。
【００４０】
【発明の効果】
以上に説明したように、この発明のトラックボデーの後部ドアフレームは、上記のように構成されているので、以下のような効果が得られる。
【００４１】
（１）請求項１記載の発明によれば、上部枠材と側部枠材とをコーナージョイントを介して連結してドアフレームを組み立てることができ、上部枠材及び側部枠材のドア側開口面に設けられた嵌合溝に戸当りパッキンの一側部を嵌合し、他側部をトラックボデーの天井パネル又は側壁パネルに当接すると共に、固定部材にて固定して取り付けることができるので、上部枠材と側部枠材の連結作業や補修作業に広い場所をとらずに簡単にすることができると共に、戸当りパッキンの取付や交換作業を容易にすることができる。
【００４２】
（２）請求項２記載の発明によれば、嵌合溝に、トラックボデーの内方側に向かって開口する開口部と、トラックボデーの外方側に向かって円弧状に屈曲する屈曲部とを設ける一方、戸当りパッキンに、嵌合溝の屈曲部に沿って回転しつつ嵌挿される円弧状挿入片と、挿入片から折曲される戸当り片と、トラックボデーの天井パネル又は側壁パネルに当接される固定片とを設けることにより、上記（１）に加えて更に戸当りパッキンの取付を簡単かつ強固にすることができると共に、交換を容易にすることができる。
【００４３】
（３）請求項３記載の発明によれば、アルミニウム製中空押出形材にて形成される上部枠材及び側部枠材の中空部内に摺動嵌合可能な連結腕部を有する鋳物製コーナージョイントを介して上部枠材と側部枠材を連結すると共に、コーナージョイントの連結腕部と、上部枠材及び側部枠材とをそれぞれ固定部材にて固定することにより、上記（１）及び（２）に加えて更に上部枠材と側部枠材の連結を簡単かつ強固にすることができる。また、上部枠材及び側部枠材はアルマイト処理が可能となるので、従来の鋼製やステンレス製枠材を溶接したものに比べて美観の向上を図ることができる。
【００４４】
（４）請求項４記載の発明によれば、上部枠材を、短辺に嵌合溝を有し、天井パネル側長辺の中央部に開口した断面の中空押出形材にて形成し、側部枠材を、短辺に嵌合溝を有し、側壁パネル側長辺の外方側が開口し、かつ、外方側短辺が側壁パネル側に延在する延在片を有する断面の中空押出形材にて形成し、コーナージョイントを、空洞部を有するジョイント基部と、ジョイント基部の一側部及び下部に突設される連結腕部とで構成すると共に、連結腕部を、上部枠材及び側部枠材の開口内の中空部の内方面に沿って略同一肉厚の開口した断面形状に形成することにより、上記（３）に加えて更にドアの開閉に対する強度を図ることができると共に、上部枠材、側部枠材及びコーナージョイントの材料の削減を図ることができる。
【００４５】
（５）請求項５記載の発明によれば、側部枠材を、短辺に嵌合溝を有し、側壁パネル側長辺の外方側が開口し、かつ、外方側短辺が側壁パネル側に延在する延在片を有する断面のアルミニウム製の中空押出形材にて形成し、連結部材を、下部枠材の両側端に突設される断面逆Ｌ字状の金具にて形成し、側部枠材の嵌合溝を有する短辺を下部枠材の端部に係合すると共に、開口を有する長辺を連結部材の直状片の内方に係合し、かつ、外方側短辺を連結部材の折曲片の外方に係合し、嵌合溝内に塞ぎ材を挿入して下部枠材と側部枠材の短辺部とを固定部材にて固定すると共に、連結部材の折曲片と側部枠材の外方側短辺部とを固定部材にて固定するので、上記（１）〜（４）に加えて更にドア側開口面に嵌合溝を有するにも拘わらず側部枠材と下部枠材との連結を強固にすることができる（請求項５）。また、下部枠材を例えばステンレス製材料にて形成し、側部枠材をアルミニウム製中空押出形材にて形成しても、側部枠材と下部枠材とを強固に連結することができるという効果が得られる。
【図面の簡単な説明】
【図１】この発明に係るトラックボデーの後部ドアフレームを適用したトラックの背面図である。
【図２】図１の縦断面図である。
【図３】図１の横面図である。
【図４】図１のＩ部の拡大断面図図（ａ）、（ａ）のＩＩＩ−ＩＩＩ線に沿う断面図（ｂ）及び（ａ）のＩＶ−ＩＶ線に沿う断面図（ｃ）である。
【図５】この発明における上部枠材と側部枠材の連結部を示す断面図である。
【図６】この発明における上部枠材と側部枠材の連結部と戸当りパッキンの取付状態を示す断面斜視図である。
【図７】上記上部枠材と戸当りパッキンの取付状態を示す断面図である。
【図８】上記側部枠材と戸当りパッキンの取付状態を示す断面図である。
【図９】図１のＩＩ部の拡大断面図である。
【図１０】この発明における下部枠材を示す斜視図である。
【図１１】この発明における上部枠材及び側部枠材とコーナージョイントの別の連結状態を示す断面図である。
【図１２】この発明における戸当りパッキンの別の形態の取付状態を示す断面図である。
【図１３】この発明における戸当りパッキンの更に別の形態の取付状態を示す断面図である。
【符号の説明】
１　トラックボデー
２　ドア
３　天井パネル
４　側壁パネル
１０　上部枠材
１１　中央開口部
１２　長辺部
２０　側部枠材
２１　端部開口部
２２　延在片
２３　長辺部
２４　短辺部
３０　下部枠材
３６　取付板
４０　戸当りパッキン
４１　円弧状挿入片
４２　戸当り片
４４　固定片
５０　嵌合溝
５１　開口部
５２　屈曲部
６０　コーナージョイント
６１　空洞部
６２　ジョイント基部
６３ａ，６３ｂ　連結腕部
７０　連結金具（連結部材）
７１　直状片
７２　折曲片
７３　塞ぎ材
８０，８１，８２，８４，８５　リベット（固定部材）
【図１】
2004084235.tif 000003
【図２】
2004084235.tif 000004
【図３】
2004084235.tif 000005
【図４】
2004084235.tif 000006
【図５】
2004084235.tif 000007
【図６】
2004084235.tif 000008
【図７】
2004084235.tif 000009
【図８】
2004084235.tif 000010
【図９】
2004084235.tif 000011
【図１０】
2004084235.tif 000012
【図１１】
2004084235.tif 000013
【図１２】
2004084235.tif 000014
【図１３】
2004084235.tif 000015
【手続補正書】
【提出日】平成14年8月30日(2002.8.30)
【手続補正１】
【補正対象書類名】明細書
【補正対象項目名】００１７
【補正方法】変更
【補正の内容】
【００１７】
上記トラックは、図１ないし図３に示すように、保冷用の箱形トラックボデー１の後部に観音開き式の開閉ドア２を具備し、開閉ドア２の取付部（フレーム）を構成する上部枠材１０と左右一対の側部枠材２０及び下部枠材３０と、上部枠材１０及び側部枠材２０に沿設されるドア２の戸当りパッキン４０とを具備している。この場合、トラックボデー１を構成する天井パネル３及び側壁パネル４は、それぞれ一対のアルミニウム製表面板５間に発泡ポリウレタン等の断熱性心材６を充填したサンドイッチパネルにて形成されている。また、開閉ドア２は、一対のアルミニウム製表面板２ａ間に発泡ポリウレタン等の断熱性心材２ｂを充填した内装パネル２ｃの表面に外装パネル２ｄが装着されており、外周側には戸当りパッキン４０に密接する内部パッキン７ａと、ドアフレームすなわち上部枠材１０、側部枠材２０及び下部枠材３０のドア側開口部に密接するフィン付外部パッキン７ｂが装着され、召合せ部には、召合せ内部パッキン７ｃとフィン付召合せ外部パッキン７ｄが装着されている（図２及び図３参照）。


【手続補正２】
【補正対象書類名】明細書
【補正対象項目名】００２６
【補正方法】変更
【補正の内容】
【００２６】
上部枠材１０と側部枠材２０に沿設される戸当りパッキン４０の隣接部は、図６に示すように、それぞれ端部がカットされた戸当りパッキン４０同士を当接することによって連接されている。


【手続補正３】
【補正対象書類名】明細書
【補正対象項目名】００３５
【補正方法】変更
【補正の内容】
【００３５】
側部枠材２０と下部枠材３０とを連結するには、図９に示すように、側部枠材２０の嵌合溝５０を有する短辺を下部枠材３０の端部すなわち取付板３６に係合（当接）すると共に、端部開口部２１を有する長辺を連結金具７０の直状片７１の内方に係合（当接）し、かつ、外方側短辺を連結金具７０の折曲片７２の外方に係合（当接）して、固定部材例えばリベット８４，８５にて固定する。この際、取付板３６に係合（当接）する嵌合溝５０内に予め塞ぎ材７３を挿入しておき、下部枠材３０と側部枠材２０の短辺部２４とをリベット８４にて固定する。また、連結金具７０の折曲片７２と側部枠材２０の外方側短辺部２４とをリベット８５にて固定する。


【手続補正４】
【補正対象書類名】図面
【補正対象項目名】図４
【補正方法】変更
【補正の内容】
【図４】
2004084235.tif 000016
【手続補正５】
【補正対象書類名】図面
【補正対象項目名】図５
【補正方法】変更
【補正の内容】
【図５】
2004084235.tif 000017
【手続補正６】
【補正対象書類名】図面
【補正対象項目名】図６
【補正方法】変更
【補正の内容】
【図６】
2004084235.tif 000018